(57)【特許請求の範囲】
【請求項１】
断路器および接地開閉器を１台で操作できる操作器であって、
前記断路器および接地開閉器を回転運動で入、切する操作軸と、前記操作軸に形成され操作軸に対して直角方向に配置したスライドレバーを有し、通常は前記操作軸と前記スライドレバーが係合して同時に動く構造となし、前記スライドレバーを左側に引き出すことで、操作軸がスライドレバーの逃げ溝に配置されて係合が外れ、前記操作軸と前記スライドレバーが切離されて、前記操作軸が固定位置でも動作可能となることを特徴とする操作器。
【請求項２】
断路器および接地開閉器をそれぞれ単独で操作できる操作器であって、
前記断路器および接地開閉器を回転運動で入、切する操作軸と、前記操作軸に形成され操作軸に対して直角方向に配置したスライドレバーを有し、通常は前記操作軸と前記スライドレバーが係合して同時に動く構造となし、前記スライドレバーを左側に引き出すことで、操作軸がスライドレバーの逃げ溝に配置されて係合が外れ、前記操作軸と前記スライドレバーが切離されて、前記操作軸が固定位置でも動作可能となることを特徴とする操作器。
【請求項３】
前記スライドレバーを引き出しおよび引き戻し後、前記スライドレバーを固定するためのストッパーを有し、前記ストッパーと干渉する位置に配置した開閉器を有し、前記スライドレバーの位置を外部信号として出力できることを特徴とする請求項１または２に記載の操作器。
【請求項４】
前記スライドレバーを引き出しまたは引き戻し操作が可能なハンドルを有した請求項１、２または３に記載の操作器。
【請求項５】
前記スライドレバーを引き出しまたは引き戻し操作が可能なハンドルを有し、前記ハンドルを時計方向に約９０°回転して前記スライドレバーを引き出し、前記ハンドルを反時計方向に約９０°回転して前記スライドレバーを固定できる構造としたことを特徴とする請求項１、２または３に記載の操作器。
【発明の詳細な説明】
【技術分野】
【０００１】
本発明はガス絶縁開閉装置に設けられた断路器および接地開閉器用の操作器の構成に関する。
【背景技術】
【０００２】
従来の断路器および接地開閉器と操作器間は、特許文献１に記載のように構成されている。図７は断路器および接地開閉器と操作器間の構成図で、１はSF6ガス等の絶縁ガスが密封されたガス絶縁開閉装置内に設置された断路器および接地開閉器機構部である。２は断路器および接地開閉器機構部１から直角に突出した操作軸であり、３は操作軸２に固着されたレバーである。４は連結ピン、５は連結ピン４を介してレバー３と接続される機構側操作ロッドであり、６は中継軸、７は中継軸６から直角に突出した操作軸、８は操作軸７の固着された中継レバーで、９は機構側操作ロッド５と中継レバー８を接続する連結ピンである。１０は操作器側操作ロッド、１１は操作器側操作ロッド１０と中継レバー８を接続する連結ピン、１２は操作器、１３は操作器１２から直角に突出した操作軸であり、１４は操作軸１３に固着されたレバーで、１５は操作器側操作ロッドとバー１４に接続する連結ピンである。
【０００３】
操作器の試験を実施する場合は、母線が充電されているため、断路器および接地開閉器機構部１と操作器１２を切状態として、操作器側操作ロッド１０を取り外すことで、断路器および接地開閉器機構部１を切状態で固定し、操作器側を自由にして、母線が充電中でも、回線ごとの試験を可能としていた。
【０００４】
【特許文献１】特開平１１−１７６２９７号公報
【発明の開示】
【発明が解決しようとする課題】
【０００５】
上記従来技術は、製品を納入に際し、二重母線方式のガス絶縁開閉装置の場合、先行してある１回線を介して二重母線を運用させ他の回線は後から試験を実施して運用させることが多々ある。そのため、各回線ごとに充電していくたびに母線連絡用断路器を切状態にして、断路器機構部と操作器間に連結されているロッドを切離す必要があり、現地での試験効率が悪い。また、回路が充電中にもかかわらず機構部を取り外すため、安全上にも問題がある。
【０００６】
本発明の目的は、上記従来技術の問題点に鑑み、断路器および接地開閉器の連結機構を切離すことなく、断路器および接地開閉器機構部を固定し、操作器側を自由にして、母線が充電中でも、回線ごとの試験を容易にできる操作器を提供することにある。
【課題を解決するための手段】
【０００７】
前記課題を解決するための本発明は、操作器内部の操作軸部分にスライドレバーを設けて、通常は操作軸とスライドレバーが係合して同時に動く構造とし、前記スライドレバーを左側に移動することで、前記操作軸がスライドレバーの逃げ溝に配置されて前記係合が外れ、前記操作軸と前記スライドレバーが切離され、操作軸が固定位置でも操作器が動作できることに特徴がある。
【発明の効果】
【０００８】
本発明は、断路器および接地開閉器の連結機構を切離すことなく断路器および接地開閉器機構部を固定し、操作器側を自由にして、母線が充電中でも、回線ごとの試験を容易にできる。これによれば、断路器および接地開閉器の連結機構を切離すことなく断路器および接地開閉器機構部を固定し、操作器側を自由にして、母線が充電中でも、回線ごとの試験を容易にできるになり、試験作業効率と安全性を向上することができる。
【発明を実施するための最良の形態】
【０００９】
本発明の実施の形態について、図１Ａ，Ｂ〜図５Ａ，Ｂ及び図６を参照しながら詳細に説明する。なお、図７は従来技術として説明したが、断路器および接地開閉器と操作器との全体構成の参照図としては、その従来技術における説明と共に、本実施例においても参照可能である。
【００１０】
図１Ａは操作器の内部詳細図で、（ａ）は通常状態での切位置を示し、（ｂ）はハンドルを示している。図１Ｂはハンドル挿入部の詳細図である。図２Ａは操作器の内部詳細図で、ハンドル操作時状態での切位置を示している。図２Ｂはハンドル挿入部の詳細図である。図３Ａは操作器の内部詳細図で、スライドレバー引出し状態での切位置を示している。図３Ｂはハンドル挿入部の詳細図で、操作前と操作後を示している。図４Ａは操作器の内部詳細図で、スライドレバー引出し後、ハンドル操作時状態での切位置を示している。図４Ｂはハンドル挿入部の詳細図で操作前と操作後を示している。図５Ａは操作器の内部詳細図で、作業終了時の状態での切位置を示している。図５Ｂはハンドル挿入部の詳細図である。図６は操作器のスライドレバーの詳細接続構造を示し、（ａ）通常の切位置から（ｄ）スライドレバー引き出し状態の入位置まで示している。
【００１１】
図１Ａにおいて、操作器前面にロックプレート２１を配置して、ハンドル挿入口２２を閉止している。ロックプレート２１は、南京錠２３で固定されている。前面カバーの内部には、動作検出の目的で上部にマイクロスイッチ２７を配置している。操作軸２９に対して直角方向にスライドレバー３０を配置して、端部にスライドレバー３０を固定するためのストッパー２４と、スライドレバー３０を引出しできないようにするためのストッパーベース２５を配置している。また、ストッパー２４の水平面上に、ストッパー２４を固定するためのストッパー固定ボルト２７、ストッパーの位置が分かるインジケータピン２６をそれぞれ配置している。
【００１２】
図１Ｂに示すように、スライドレバー３０の引出し時には、スライドレバー３０を固定するためのガイドプレート３１も配置している。スライドレバー３０端部の加工が施された穴部にハンドルガイド３２を配置して、外側からスライドレバー３０を介して、ストッパーボルト２８、プランジャ２９で固定されている。
【００１３】
図２Ａはハンドル操作前後で、状態は切の時を示している。操作手順を説明すると、最初に南京錠２３を取外しロックプレート２１を開く。ストッパー固定ボルト２７を緩めて、ハンドル挿入口２２に、（ｂ）の操作ハンドル３５を最奥まで挿入して、時計方向に約９０°回転させる。回転により、ストッパー２４がストッパーベース２５の係合から外れ、スライドレバー３０の固定が解除され、引き出し可能な状態となる。
【００１４】
図６（ａ）は通常状態の切位置におけるスライドレバー部の詳細構造を示している。操作器の操作軸２９に連結されている中継ボス４０は、スライドレバー３０に対して左側に配置されており、固定溝３８に係合されている。中継ボス４０の反対側にスライドレバー３０を解して配置されている中継軸４２も固定溝３８に係合されている。操作軸２９は、中継ボス４０、スライドレバー３０、ベアリング４１、中継軸４２を介して連結レバー４３に接続される。
【００１５】
図２Ｂは、操作ハンドル３５をスライドレバー３０に加工された溝に挿入した場合の状態を示す。挿入時、操作ハンドル３５の先端にあるピン３６が、ハンドルガイド３２のぬすみ部（逃げ溝３７）に係合してスライドレバー３０を引き出し可能とする。
【００１６】
図６（ｂ）は、通常状態の入位置におけるスライドレバー部の詳細構造を示している。図６（ａ）の係合の関係より、操作軸２９が回転すると中継ボス４０、スライドレバー３０、中継軸４２、連結レバー４３が一体で回転する。スライドレバー３０に対して左側に配置されている溝は、操作軸２９側が中継軸４２側と共に固定溝３８となる。これにより、操作器自体が動作すると連結されている負荷も動作する。
【００１７】
図３Ａは、スライドレバー３０を引き出した状態を示す。図３Ｂで、ハンドルガイド３２はストッパーボルト３３で約４５°回転するように規制されており、また、ハンドルガイド３２の位置決めのため、プランジャ３４を設けている。このため、図３Ａのストッパー固定ボルト２７を締め忘れてもストッパー２４が移動しないようにし、誤動作を防止している。
【００１８】
図６（ｃ）はスライドレバー引き出し状態の切位置を示している。操作軸２９に連結されている中継ボス４０は、スライドレバー３０に対して右側に配置されており、逃げ溝３７の作用により操作軸２９とスライドレバー３０の係合が外れる。中継ボス４０の反対側にスライドレバー３０を介して配置されている溝は、操作軸２９側が逃げ溝３７で、中継軸４２側が固定溝３８となる。
【００１９】
ここで、スライドレバー３０を引き出した状態で、操作ハンドル３５とハンドルガイド３２の関係を説明する。操作ハンドル３５を時計方向に約90°回転させた状態で、スライドレバー３０を手前に引き出して、ガイドプレート３１の切欠き部前に配置する。この状態では、ハンドル挿入口２２と操作ハンドル３５の先端にあるピン３６が干渉して、操作ハンドル３５が引抜けない構造となっている。
【００２０】
図４Ａは、スライドレバー３０を引き出し後、スライドレバー３０を固定した状態を示す。今度は操作ハンドル３５を反対に反時計方向へ約９０°回転させて、ストッパー２４をガイドプレート３１に係合させてスライドレバー３０を固定する。ストッパー２４の回転により、マイクロスイッチ２８を動作させることで外部へ信号を出すことが可能になる。
【００２１】
図４Ｂは、スライドレバー３０を引き出し後、ストッパー２４を固定した時の操作ハンドル３５とハンドルガイド３２の関係を示す。ハンドル挿入口２２と操作ハンドル３５の先端にあるピン３６の位置が合い、操作ハンドル３５が引抜き可能な構造となっている。
【００２２】
図６（ｄ）はスライドレバー引き出し状態の入位置を示している。図６（ｃ）の関係より、操作軸２９が回転した場合、中継ボス４０まで回転するが、その先の中継軸４２、連結レバー４３は回転しない。これにより、操作器自体が回転しても連結されている負荷は動作しない。
【００２３】
図５Ａは操作完了の状態を示す。ストッパー固定ボルト２７を締付けて、ストッパー２４をスライドレバー３０に固定する。ロックプレート２１を元の位置に戻し、南京錠２３で施錠する。ロックプレート２１により、ハンドル挿入口２２を塞ぐことで操作を防止し、また、インジケータピン２６の誤回転も防止している。なお、インジケータピン２６が前面に突出することで、操作中の表示を可能にしている。
【００２４】
図５Ｂは、操作完了後の操作ハンドル３５とハンドルガイド３２の関係を示す。正規の状態に戻す場合は、上記内容の逆操作を実施することにより可能となる。
【００２５】
以上のように、本実施例では、操作器内部の操作軸部分にスライドレバー３０を設けて、通常は操作軸２９とスライドレバー３０が、スライドレバー３０に形成される固定溝３８に係合して同時に動く構造としている。スライドレバー３０を左側に移動することで、操作軸２９がスライドレバー３０に形成される逃げ溝３７に配置されると両者の係合が外れ、操作軸２９とスライドレバー３０が切離され、操作軸２９が固定位置でも操作器が動作できる。
【００２６】
これによれば、断路器および接地開閉器の連結機構を切離すことなく断路器および接地開閉器機構部を固定し、操作器側を自由にして、母線が充電中でも、回線ごとの試験を容易にできるになり、試験作業効率と安全性を向上することができる。
【図面の簡単な説明】
【００２７】
【図１Ａ】本発明の一実施例による通常状態での切位置の操作器の内部詳細図。
【図１Ｂ】通常状態での切位置のハンドル挿入部の詳細図。
【図２Ａ】ハンドル操作時状態での切位置の操作器の内部詳細図。
【図２Ｂ】ハンドル操作時状態での切位置のハンドル挿入部の詳細図。
【図３Ａ】スライドレバー引出し状態での切位置の操作器の内部詳細図。
【図３Ｂ】スライドレバー引出し状態での切位置のハンドル挿入部の詳細図。
【図４Ａ】スライドレバー引出し後、ハンドル操作時状態での切位置の操作器の内部詳細図。
【図４Ｂ】スライドレバー引出し後、ハンドル操作時状態での切位置のハンドル挿入部の詳細図。
【図５Ａ】作業終了時の状態での切位置の操作器の内部詳細図。
【図５Ｂ】作業終了時の状態での切位置のハンドル挿入部の詳細図。
【図６】操作器のスライドレバー部の構造図。
【図７】断路器および接地開閉器と操作器間の構成図。
【符号の説明】
【００２８】
１…断路器および接地開閉器機構部、２…操作軸（機構側）、３…レバー（機構側）、４…連結ピン（機構側）、５…操作ロッド（機構側）、６…中継軸、７…操作軸（中継側）、８…中継レバー、９…連結ピン（中継側上部）、１０…操作ロッド（操作器側）、１１…連結ピン（中継側下部）、１２…操作器、１３…操作軸（操作器側）、１４…レバー（操作器側）、１５…連結ピン（操作器側）、２１…ロックプレート、２２…ハンドル挿入口、２３…南京錠、２４…ストッパー、２５…ストッパーベース、２６…インジケータピン、２７…ストッパー固定ボルト、２８…マイクロスイッチ、２９…操作軸、３０…スライドレバー、３１…ガイドプレート、３２…ハンドルガイド、３３…ストッパーボルト、３４…プランジャ、３５…操作ハンドル、３６…ハンドルの先端にあるピン、３７…逃げ溝、３８…固定溝、４０…中継ボス、４１…ベアリング、４２…中継軸、４３…連結レバー。
【図１Ａ】
0004676362.tif 000002
【図１Ｂ】
0004676362.tif 000003
【図２Ａ】
0004676362.tif 000004
【図２Ｂ】
0004676362.tif 000005
【図３Ａ】
0004676362.tif 000006
【図３Ｂ】
0004676362.tif 000007
【図４Ａ】
0004676362.tif 000008
【図４Ｂ】
0004676362.tif 000009
【図５Ａ】
0004676362.tif 000010
【図５Ｂ】
0004676362.tif 000011
【図６】
0004676362.tif 000012
【図７】
0004676362.tif 000013